(57)【特許請求の範囲】
【請求項１】
衣類を掛ける一対の肩翼アームを、ベースハウジングの左右に開閉可能に軸支し、両肩翼アームの間にて、上下動可能に吊架フック軸をベースハウジングに組付けている、折りたたみ式ハンガー装置であって、吊架フック軸の最下部には、一対の肩翼アームを左右に開いた時に一対の肩翼アームを固定、維持するストッパーを吊架フック軸が回動可能に取付けており、また一対の肩翼アームを左右に開いた時に定まる位置、及び一対の肩翼アームを閉じた時に定まる位置の２箇所に、それぞれ吊架フック軸を固定、係合するために、吊架フック軸の下部、前記ストッパーの上方にリング状凹溝を設けており、係合部と係合、離脱可能にベースハウジングに軸支し、回動可能に設けられた一対の係合相手部を有する、ロック部品を具備している。前記の係合相手部、ロック部品は係合部、ロック用のリング状凹溝との係合時にその状態を維持する方向へ一対のロック用弾圧スプリングによって付勢し、ベースハウジングに軸支し、回動可能に設けた一対のロック部品の操作部を操作することによってロック用弾圧スプリングの付勢力に抗してロック部品を動かしそれによって係合部、ロック用のリング状凹溝との係合から離脱させるようにした構造、構成の、折りたたみ式ハンガー装置。
【請求項２】
ベースハウジング本体がフックによって吊り下げられた状態の場合、
一対のロック部品は上下動可能な吊架フック軸の両横側に、ベースハウジングに軸支し、回動可能に設けられており、その一対のロック部品の操作部はベースハウジング上部の外縁部へ、且つ吊架フック軸の両横、外側に突き出ており、その操作部を操作することにより、係合部、ロック用のリング状凹溝との係合から離脱し、一対の肩翼アームが閉じ方向へ自重、及び負荷により変位する請求項１の折りたたみ式ハンガー装置。
【請求項３】
一対の左右対称、回動可能の肩翼アーム各々に延長用肩翼アームを組込み、洋服等の肩幅に合わせて調整、延長できる肩翼アームを具備、構成している請求項１、請求項２のいずれかの折りたたみ式ハンガー装置。
【請求項４】
一対の左右対称、回動可能の肩翼アーム各々の下部に肩翼アームの開閉に連動して開閉する折りたたみ式のパンツ掛け用バーを具備している請求項１、請求項２、請求項３のいずれかの折りたたみ式ハンガー装置。
【発明の詳細な説明】
【技術分野】
【０００１】
本発明は、洋服、セーター等の収納及び物干し用ハンガーに関するものである。
【背景技術】
【０００２】
従来のハンガーは、固定一体型形状で衣類をハンガーの形状に合わせてセットするもので実用上十分であった。しかし、従来ハンガーでは、たとえば物干し用に供した場合、セーターのような筒型上の衣類等をハンガーにセットするとき、また取り外す場合など、セーターの裾から出し入れとなり、その手間が煩わしい欠点がある。
【０００３】
また、洋服類等を洋服タンスに収納、あるいは取り出したいとき、架けたままの空きハンガーは意外とスペースを取り、また邪魔なものである。
【発明の開示】
【発明が解決しようとする課題】
【０００４】
解決しようとする問題点は、セーターのような筒型上の衣類等をハンガーにセットするとき、また取り外す場合など、セーターの裾から出し入れとなり、その手間が煩わしい欠点がある。
【０００５】
また、洋服類等を洋服タンスに収納、あるいは取り出したいとき、架けたままの空きハンガーは意外とスペースを取り、邪魔になる。
【０００６】
従来の固定一体型ハンガーは、ただ単に洋服等衣類の収納、又は物干し用具として利用されているにすぎないが、陳列用あるいは商品のイメージアップ等に隠れた販売促進用具として、活用されるべき側面をも併せ持っており、ブランド商標、キャラクターなどの図柄、彫刻等を採用することで付加価値を高めることができると考える。
【課題を解決するための手段】
【０００７】
本発明は、従来の固定一体型ハンガーをシンプルな折りたたみ式とし、軽量コンパクトなこと、及びブランド商標、キャラクターなどの図柄、彫刻等を採用できる形状、スペースを確保していることを最も主要な特徴とする。
【発明の効果】
【０００８】
本発明の折りたたみ式ハンガーは、小型軽量で実用に供するだけでなく、ハウジング表面に商標、ブランドマーク、キャラクターなどの図柄、彫刻等を採用できる形状、スペースを有しており、これを有効に活用し、陳列、販売促進に利用、商品のイメージアップに役立てられる。
【発明を実施するための最良の形態】
【０００９】
ハンガーを折りたたみ式とし、従来の固定一体型ハンガーを新たな視点から、フック部分、ベースハウジング部分、肩翼アーム部分に分割見直し、新たにロック機構、肩翼アーム構造を開発、その主要部分をベースハウジングに内蔵し、よりコンパクトに、より軽量に、且つデザイン加工できるものを、という目的を、最小の部品点数で、従来の固定一体型ハンガーの実用性を損なわずに実現した。
【実施例１】
【００１０】
図１は、本発明装置の１実施例の断面図であって、図２はその構成部品の配置、構成を示したものである。
【００１１】
フック部については、フック軸にロック溝１７，１８を設けてありフックを上下にスライドすることにより、肩翼アームを収納時、また展開時にロック４でロック固定する。フック軸の最下部には肩翼アームストッパーをフック軸が回動できる構造で取り付けられている
【００１２】
ロック部品４の形状（図８−イ、ロ、ハ）は、筋交い、ツッカエ棒の仕組みを応用し、ロック部品の先端部は常時、ボルトピン１０を支点としてフック軸へ対向しスプリング８により、両側から弾圧されている。ロックを解除する場合には、上部の突起レバーを親指と人差し指で挟み込むと解除できる。肩翼アームの展開時、及び収納時確実にロックされるように、フック軸のロック溝へロック部品の先端部が嵌まり込み、フック軸を両側から挟み込んでフック軸の上方向への動き（下方向へのロックは必要ではない）をロック、固定する。
【００１３】
肩翼アーム３は、展開時（図４）ボルトピン７を軸に回動し、肩翼アームストッパー７によって所定の位置で固定、ロックされ安定する。なおロックする以前までは吊架フック軸は、収納時でロックされている状態であるため、肩翼アーム３は左右各々が独立して懸架されているため、所定の範囲内で自由に、単独で角度を変更できる。
【００１４】
なお肩翼アーム３には上部に、衣類形状保護翼１９が有り、肩翼アーム３を展開したときベースハウジング１との接触部がストッパーとなり、肩翼アーム３の展開を制限、展開角度を固定させる構造になっている。
【００１５】
また肩翼アーム３には、延長用アーム８を組込み、衣類の肩幅に合わせて延長調整できる構造になっている。その仕組みは図６に示すように肩翼アーム３の両側面に傾斜角度をつけて組込み用の凹溝を設け、それに対応する凸形の延長用アーム８が嵌め込まれ摺動し、ストッパー用ボルトピン１０で延長用アーム８を制止する構造になっている。なお図６に示してあるように、肩翼アーム３に対し延長用アーム８は、調整、延長させた場合、その肩翼先端部は肩翼アーム３の延長直線より上方に突き出ている形状となるが、肩翼アーム３を展開使用状態では横に水平方向となる。
【００１６】
なお肩翼アーム３には、パンツ掛け用バー１１を装着することもでき、肩翼アーム３の収納時、及び展開時にはパンツ掛け用バー懸架アーム１３によって肩翼アーム３の開閉に連動して、下方向に下がりながら開き直線、棒状になる構造である。なおパンツ掛け用バー１１は、２分割されておりピン１５を介して直線、左右一本の直棒状となった時点で固定される構造（図７の１５）になっている。
【００１７】
ベースハウジング１については図１、及び図４に示すように、その両内側面に、上下動可能な吊架フック軸２のストッパーがスムーズに、且つ安定して上下に摺動するように肩翼アームストッパー摺動溝１６がもうけられ、一対の肩翼アーム３、吊架フック軸２、一対のロック４等の部品を軸支し、ベースハウジング１内外の構造、構成を保持するためのボルトピン６，９，１０，１２，１４を配置、各々の部品を軸支、支持固定してベースハウジング１を構成する。なおベースハウジング１は、外見、外形が野球場、スタジアムをバックネット裏上方から見たような形で、円形を基本とし、その円形の下半面の両側を半月状に削り落としてスタジアム型となし、デザイン、彫金、彫刻などの加工、応用可能なスペースを提供できる、円形を基本としたスタジアム型図１が望ましい。また円形の下半面の両側を半月状に削り落とした部分は直線状をなし、衣類の襟部に当接しており、肩翼アーム３の襟部に当接する部分の形状はT字状図４−１９、及び図６−A,A”の断面図Aで、衣類の襟部の形状に合わせるのが望ましい。
【００１８】
使用材料には、軽量で彫金等も考慮すれば、形状加工し易いチタン合金、またはアルミ合金等を使用するのが望ましい。
【産業上の利用可能性】
【００１９】
本発明の折りたたみ式ハンガーは小型軽量で実用に供するだけでなく、図柄、彫金等のデザイン加工性に優れ、陳列、販売促進など商品のイメージアップに役立てられる。
【図面の簡単な説明】
【００２０】
【図１】本発明の実施の形態を示すもので、ハンガーを折りたたんでいる収納時の状態を示した全体図である。
【図２】同じく、各部品の配置、構成を示した斜視図である。
【図３】本発明の実施の形態を示すもので、ハンガーを折りたたんでいる（収納時）の状態を示したベースハウジング要部の拡大図である。
【図４】同じく、ハンガーを展開している状態（使用時）を示したベースハウジング要部の拡大図である。
【図５】同じく、ハンガーを展開している状態（使用時）を示したベースハウジング要部と、肩翼アームの状態、フック軸とロックの状態を示した拡大図である。
【図６】肩翼アームの前部（Ａ，Ａ“）及び後部（Ｂ，Ｂ”）の断面図である。
【図７】折りたたみ式パンツ掛け用バーを具備構成している場合の、肩翼アームとパンツ掛け用バーの連動、動作を示した正面図である。
【図８】ロックパーツ部品の正面（イ）、側面（ロ）、上面（ハ）から見た三面形状図である。
【符号の説明】
【００２１】
１    ベースハウジング
２    吊架フック軸
３    肩翼アーム
４    ロック
５    ロック用弾圧スプリング
６    ボルトピン
７    肩翼アームストッパー
８    延長用肩翼アーム
９    ボルトピン
１０    ボルトピン
１１    パンツ掛け用バー
１２    ボルトピン
１３    パンツ掛け用バー懸架用アーム
１４    ボルトピン
１５    ボルトピン
１６    肩翼アームストッパーの摺動溝
１７    ロック溝（肩翼アーム展開時の固定用）
１８    ロック溝（肩翼アーム収納時の固定用）
１９    衣類形状保護部
【図１】
0003622924.tif 000002
【図２】
0003622924.tif 000003
【図３】
0003622924.tif 000004
【図４】
0003622924.tif 000005
【図５】
0003622924.tif 000006
【図６】
0003622924.tif 000007
【図７】
0003622924.tif 000008
【図８】
0003622924.tif 000009